(57)【要約】【課題】本発明は、自動で消灯する省エネルギーのランプを提供することを目的とする。【解決手段】本発明に係るランプは、照明装置と、モード切換装置と、動作測定装置と、制御装置と、を備え、前記照明装置は、照明する光源を備え、前記モード切換装置は、前記ランプの照明モードと省エネルギーモードを切り換え、前記動作測定装置は、前記ランプが省エネルギーモードに切り替えられた時、前記ランプの周りに位置する人々の動きを感知し、且つ特定の時間内に人の動きが感知されない場合、第一検出信号を出力し、前記制御装置は、前記動作測定装置から出力された検出信号を受け、且つ前記第一検出信号を受けた後、前記照明装置の光度を下げる。【選択図】図１
2012124155.tif 000002
【特許請求の範囲】
【請求項１】
照明装置と、モード切換装置と、動作測定装置と、制御装置と、を備えるランプであって、
前記照明装置は、照明する光源を備え、
前記モード切換装置は、前記ランプの照明モードと省エネルギーモードを切り換え、
前記動作測定装置は、前記ランプが省エネルギーモードに切り換えられた時、前記ランプの周りに位置する人々の動きを感知し、且つ特定の時間内に人の動きが感知されない場合、第一検出信号を出力し、
前記制御装置は、前記動作測定装置から出力された検出信号を受け、且つ前記第一検出信号を受けた後、前記照明装置の光度を下げることを特徴とするランプ。
【請求項２】
前記動作測定装置は、特定の時間内に人の動きを感知した場合、第二検出信号を出力し、前記制御装置は、前記第二検出信号を受けた後、前記照明装置の光度を上げることを特徴とする請求項１に記載のランプ。
【請求項３】
前記ランプは、日光測定装置をさらに備え、前記日光測定装置は、太陽の光を感知すると、前記ランプを消灯させることを特徴とする請求項１又は２に記載のランプ。
【請求項４】
前記制御装置は、前記第一検出信号を受けた後、前記照明装置を消灯させることを特徴とする請求項１から３の何れか一項に記載のランプ。
【請求項５】
前記制御装置は、前記第一検出信号を受けた後、前記照明装置の光度を徐徐に下げ、最終的に消灯させることを特徴とする請求項１から４の何れか一項に記載のランプ。
【発明の詳細な説明】
【技術分野】
【０００１】
本発明は、ランプに関し、特に自動で消灯する機能を備えた省エネルギーのランプに関するものである。
【背景技術】
【０００２】
ランプは、照明装置として、客間、寝室などに広く利用されている。しかし、従来のランプは、日常生活において、様々な不便性をもつ。例えば、多くの人が、夜寝る前、読書する習慣があるが、本を読んでいるうちに、そのまま電気を消し忘れて寝てしまい、電気を浪費し、且つ人体の健康にマイナスの影響を及ぼす。そこで、従来の一部のランプは、時間設定の機能を持ち、設定した時間になると、消灯することができる。しかし読書する人にとって、自分の寝る時間を予告することはできず、消灯時間は決して決まっているものではない。このように、設定機能をもつランプは、必ずしも人々の需要を満足させているものではない。
【発明の概要】
【発明が解決しようとする課題】
【０００３】
以上の問題点に鑑みて、本発明は、自動で消灯する省エネルギーのランプを提供することを目的とする。
【課題を解決するための手段】
【０００４】
本発明に係るランプは、照明装置と、モード切換装置と、動作測定装置と、制御装置と、を備え、前記照明装置は、照明する光源を備えている。前記モード切換装置は、前記ランプの照明モードと省エネルギーモードを切り換え、前記動作測定装置は、前記ランプが省エネルギーモードに切り換えられた時、前記ランプの周りに位置する人々の動きを感知し、且つ特定の時間内に人の動きが感知されない場合、第一検出信号を出力する。前記制御装置は、前記動作測定装置から出力された検出信号を受け、且つ前記第一検出信号を受けた後、前記照明装置の光度を下げる。
【発明の効果】
【０００５】
本発明に係るランプにおいて、省エネルギーモードに切り替えられた時、前記動作測定装置により、人の動きを感知し、且つ人の動きが感知されない場合、前記制御装置により、前記照明装置の光度を下げ、ユーザーが就寝した後、可能な限り早く消灯する。これにより、前もって時間を設定する必要はなく、電力を節約することもできるなど、非常に便利である。
【図面の簡単な説明】
【０００６】
【図１】本発明の第一実施形態に係るランプの構造を示す図である。
【図２】図１に示したランプの省エネルギーモードのブロック図である。
【図３】図１に示したランプの他省エネルギーモードのブロック図である。
【図４】本発明の第二実施形態に係るランプの構造を示す図である。
【図５】図４に示したランプの省エネルギーモードのブロック図である。
【発明を実施するための形態】
【０００７】
以下、図面を参照して、本発明の実施形態について説明する。
【０００８】
図１に示したように、本発明に係る第一実施形態のランプ１０は、照明装置１１と、モード切換装置１２と、動作測定装置１３と、制御装置１４と、を備える。前記ランプ１０は、照明モードと、省エネルギーモードの二つの作業モードを有する。照明モードに切り替えられた時、前記ランプ１０は、従来のランプのように発光し、人々の日常生活の需要を満足させる。また、前記ランプ１０が省エネルギーモードに切り替えられた時、前記ランプ１０は、ユーザーが睡眠を開始したかどうか感知し始め、次にユーザーが就寝したことがわかると、自動的に消灯する。以上により電力を節約することができる。
【０００９】
前記照明装置１１は、外部の電源３０に接続し照明として用いる。本実施形態において、前記照明装置１１は、ランプシェード１１０と、支柱１１２と、ベース１１４と、を備える。前記ランプシェード１１０内には、蛍光灯、白熱灯、気体放電灯、発光ダイオード、発光ダイオードモジュールなどの光源が収容される。本実施形態において、前記ランプシェード１１０内には、複数の発光ダイオード（図示せず）が収容される。
【００１０】
前記モード切換装置１２は、前記照明装置１１のランプシェード１１０、支柱１１２、ベース１１４のいずれか１つに設けることができる。本実施形態において、前記モード切換装置１２は、前記支柱１１２に設けられるため、二つの作業モードの切り換えの際、操作が便利である。
【００１１】
前記ランプ１０が省エネルギーモードに切り替えられた後、前記動作測定装置１３は、前記ランプ１０の周りに位置する人の動きがあるかどうかを先ず感知し、一定時間内に人の動きが感知されない場合、第一検出信号を出力し、且つ前記第一検出信号を前記制御装置１４に転送する。前記動作測定装置１３は、前記照明装置１１のランプシェード１１０、支柱１１２、ベース１１４のいずれか１つに設けることができる。本実施形態において、前記動作測定装置１３は、前記支柱１１２に設けられる。
【００１２】
前記動作測定装置１３としては、例えば角速度トランスジューサを用いることが可能であり、これを用いて人の動きの幅を測定する。特定の時間内に、人の動きが全く感知されなければ、既に就寝したと判断するが、しかし人の動きが感知されれば、まだ起きていると判断する。
【００１３】
一部の人は、就寝後、わずかに動くこともあるので、就寝しているか、いないかの判断の精確性を高めるために、前記動作測定装置１３の感度は調整することができる。これにより、前記動作測定装置１３に、特定の時間内に人の動きが感知されない時だけでなく、感知された人の動きの幅が小さい時でも、既に就寝しているという判断が可能であり、逆に、前記動作測定装置１３は、特定の時間内に人の動きを感知し、且つその感知された人の動きの幅が大きい時に、起きているという判断が可能である。
【００１４】
前記制御装置１４は、前記照明装置１１のランプシェード１１０、支柱１１２、ベース１１４のいずれか１つに設けることができる。本実施形態において、前記制御装置１４は、前記支柱１１２に設けられる。図２に示したように、前記制御装置１４は、前記動作測定装置１３から出力された信号を受ける。また前記動作測定装置１３から出力された第一検出信号を受けない時、前記制御装置１４は、作動せず、前記動作測定装置１３から出力された第一検出信号を受けた後、前記制御装置１４は、前記照明装置１１の消灯を制御することができる。
【００１５】
また、前記制御装置１４は、前記第一検出信号を受けた後、すぐに前記照明装置１１を消灯させる機能に限定されるものではない。図３に示したように、前記第一検出信号を受けた後、前記照明装置１１の光度を下げ、又は前記照明装置１１の光度を徐徐に下げ、最終的に消灯するようにすることもできる。
【００１６】
前記ランプ１０によれば、省エネルギーモードに切り替えられた後、前記動作測定装置１３により、人の動きを感知する。しかし人の動きが感知されない場合、前記制御装置１４により、前記照明装置１１の光度を下げ、ユーザーが就寝した後、できるだけ早く消灯する。これにより、前もって設定する必要はなく、電気も節約することができて、非常に便利である。
【００１７】
図４に示したように、本発明に係る第二実施形態のランプ２０は、前記ランプ１０の構造と概ね同じであり、照明装置２１と、モード切換装置２２と、動作測定装置２３と、制御装置２４と、を備える。外部の電源３０は、前記ランプ２０に電気的に接続されるが、両者の構造が異なる部分については、図５に示したように、前記ランプ２０の動作測定装置２３は、特定の時間内に人の動きが感知されない時、又は感知された人の動きの幅が小さい時、第一検出信号を出力する。また特定の時間内に人の動きが感知され、且つ感知された人の動きの幅が大きい時、第二検出信号を出力する。前記制御装置２４は、前記第一検出信号を受けた後、照明装置２１の光度を下げ、又は前記照明装置２１を消灯させる。又は照明装置２１の光度を徐徐に下げていき、最終的に消灯させる。前記制御装置２４は、前記第二検出信号を受けた後、前記照明装置２１の光度を上げる。
【００１８】
ユーザーが就寝した後、前記動作測定装置２３は、人の動きが感知されない又は感知された人の動きの幅が小さい時に、第一検出信号を出力する。この時、前記制御装置２４は、前記第一検出信号を受けた後、前記照明装置２１の光度を下げ、又は前記照明装置２１を消灯させ、又は前記照明装置２１の光度を徐徐に下げていき、最終的に消灯させる。以上により、前もって設定する必要はなく、電気を節約することもできる。
【００１９】
ユーザーが眠りから覚め始めて動き始めると、前記動作測定装置２３は、人の動きとその動きの幅が大きいことを感知し、第二検出信号を出力する。前記制御装置２４は、前記第二検出信号を受けた後、前記照明装置２１の光度を上げることができ、例えばユーザーが夜中に起きてトイレへ行く際等にも、すぐに光を照らすことができる。
【００２０】
前記ランプ２０は、日光測定装置２５をさらに備え、前記日光測定装置２５は、太陽の光を感知すると、直接前記ランプ２０を消灯させる。夜が明けた後、前記ランプ２０は、自動で消灯することができ、人為的な操作の必要がない。
【００２１】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、言うまでもない。
【符号の説明】
【００２２】
１０、２０  ランプ
１１、２１  照明装置
１２、２２  モード切換装置
１３、２３  動作測定装置
１４、２４  制御装置
２５        日光測定装置
１１０      ランプシェード
１１２      支柱
１１４      ベース
３０        外部の電源
【図１】
2012124155.tif 000003
【図２】
2012124155.tif 000004
【図３】
2012124155.tif 000005
【図４】
2012124155.tif 000006
【図５】
2012124155.tif 000007